(57)【要約】      （修正有）【課題】爪置きの発生、木や雪による誤動作、構成部材の飛散・紛失、等の課題を同時に解決可能な動物捕獲装置を提供する。【解決手段】動物捕獲装置１は、筒状の枠体３０と、枠体内に下降可能に配設された踏板３２と、それぞれが踏板の支持部材３３に固定されて踏板の周縁位置から起立する方向に回動可能であり、対向配置されて環状形状をなす一対のガイド体３４と、先端部の縮径可能なリング部２４が一対のガイド体３４の外周面３４ａに沿って装着されるワイヤ体２０と、リング部２４を縮径させる状態に付勢する付勢部材４０とを備え、ガイド体３４は、両端部３４ｃと頂部３４ｄとの間の所定位置Ｄにおいて枠体３０の周壁部の上端部と当接し、その状態で両端部３４ｃから頂部３４ｄに向かって下方に傾斜するように、両端部の下面を踏板の上面３２ａから所定距離離隔させて支持部材３３に固定されている。【選択図】図５
0003207491.tif 000002
【実用新案登録請求の範囲】
【請求項１】
動物を捕獲するための動物捕獲装置であって、
開口部を有する筒状の枠体と、
前記枠体の前記開口部内における上部位置に下降可能に配設された踏板と、
それぞれが板状もしくは棒状部材が湾曲もしくは折曲されて環状の一部をなす形状を有すると共に、それぞれの両端部が回動支点となるように前記踏板に設けられた支持部材に固定されて前記踏板の周縁位置から前記踏板の中央部上方位置へ起立する方向に回動可能となっており、それぞれが対向するように配置されて環状形状をなす一対のガイド体と、
先端部が縮径可能なリング部を有し、該リング部が一対の前記ガイド体の外周面に沿って装着されるワイヤ体と、
一対の前記ガイド体の外周面に沿って装着された前記リング部を縮径させる状態に付勢する付勢部材と、を備え、
前記ガイド体は、前記両端部と該両端部から最も離れた頂部との間の所定位置において前記枠体の周壁部の上端部と当接するように配設されており、その当接状態において前記両端部から前記頂部に向かって下方に傾斜する配置となるように、前記回動支点となる位置における前記両端部の下面を前記踏板の上面に対して所定距離Ｘ離隔させて、前記踏板の前記支持部材に固定されていること
を特徴とする動物捕獲装置。
【請求項２】
前記所定位置は、前記ガイド体の前記両端部と前記頂部との中間位置よりも該両端部に近い位置であること
を特徴とする請求項１記載の動物捕獲装置。
【請求項３】
前記所定距離Ｘは、Ｘ＝２ｍｍ〜５ｍｍであること
を特徴とする請求項１または請求項２記載の動物捕獲装置。
【請求項４】
前記枠体は、平面視で円形であり、
前記ガイド体は、一対で対向配置された前記環状形状が平面視で長円形もしくは楕円形であって、それぞれの前記頂部の内周面を前記枠体の外周面に対して所定距離Ｙ離隔させて配設されていること
を特徴とする請求項１〜３のいずれか一項に記載の動物捕獲装置。
【請求項５】
前記所定距離Ｙは、Ｙ＝５ｍｍ〜２０ｍｍであること
を特徴とする請求項４記載の動物捕獲装置。
【請求項６】
前記枠体に対して、前記踏板を下降可能に締結する締結体をさらに備えること
を特徴とする請求項１〜５のいずれか一項に記載の動物捕獲装置。
【請求項７】
前記締結体は、線状部材を用いて、前記枠体の周壁部の下部位置に設けられた貫通孔および前記踏板の周縁部に設けられた貫通孔に挿通されたリング状に形成されていること
を特徴とする請求項６記載の動物捕獲装置。
【請求項８】
前記ガイド体は、前記頂部の外周面の上部位置において径方向に突出する突状体を有すること
を特徴とする請求項１〜７のいずれか一項に記載の動物捕獲装置。
【考案の詳細な説明】
【技術分野】
【０００１】
本考案は、動物を捕獲するための動物捕獲装置に関する。
【背景技術】
【０００２】
従来より、先端部が縮径可能なリング部を有するワイヤ体を用いて猪等の動物を捕獲するための動物捕獲装置が知られている（特許文献１参照）。
【先行技術文献】
【特許文献】
【０００３】
【特許文献１】実用新案登録第３１９６１４６号公報
【考案の概要】
【考案が解決しようとする課題】
【０００４】
従来の動物捕獲装置においては、ワイヤ体の跳ね上がり量が小さく捕獲動物のいわゆる爪置きが発生する、木や雪の落下によって捕獲機構の誤動作が発生する、装置の構成部材の一部（例えば、枠体等）が動作時の衝撃で飛散・紛失してしまう、等といった様々な課題があった。
【０００５】
本考案は、上記事情に鑑みてなされ、爪置きの発生、木や雪による誤動作の発生、構成部材の飛散・紛失、等の課題を同時に解決することが可能な動物捕獲装置を提供することを目的とする。
【課題を解決するための手段】
【０００６】
一実施形態として、以下に開示するような解決手段により、前記課題を解決する。
【０００７】
開示の動物捕獲装置は、開口部を有する筒状の枠体と、前記枠体の前記開口部内における上部位置に下降可能に配設された踏板と、それぞれが板状もしくは棒状部材が湾曲もしくは折曲されて環状の一部をなす形状を有すると共に、それぞれの両端部が回動支点となるように前記踏板に設けられた支持部材に固定されて前記踏板の周縁位置から前記踏板の中央部上方位置へ起立する方向に回動可能となっており、それぞれが対向するように配置されて環状形状をなす一対のガイド体と、先端部が縮径可能なリング部を有し、該リング部が一対の前記ガイド体の外周面に沿って装着されるワイヤ体と、一対の前記ガイド体の外周面に沿って装着された前記リング部を縮径させる状態に付勢する付勢部材と、を備え、前記ガイド体は、前記両端部と該両端部から最も離れた頂部との間の所定位置において前記枠体の周壁部の上端部と当接するように配設されており、その当接状態において前記両端部から前記頂部に向かって下方に傾斜する配置となるように、前記回動支点となる位置における前記両端部の下面を前記踏板の上面に対して所定距離Ｘ離隔させて、前記踏板の前記支持部材に固定されていることを特徴とする。
【考案の効果】
【０００８】
開示の動物捕獲装置によれば、木や雪の落下による捕獲機構の誤動作を防止することができると共に、正常動作時のワイヤ体の跳ね上がり量を大きくすることができる。したがって、誤動作および捕獲動物の爪置きを減少させて、捕獲率を向上させることが可能となる。さらに、動作した際の衝撃で構成部材が飛散・紛失してしまうことの防止が可能となる。
【図面の簡単な説明】
【０００９】
【図１】本考案の実施形態に係る動物捕獲装置の例を示す斜視図である。
【図２】図１の動物捕獲装置の枠体、踏板、ガイド体の例を示す斜視図である。
【図３】図２の枠体、踏板、ガイド体の正面図である。
【図４】図２の枠体、踏板、ガイド体の平面図である。
【図５】図１の動物捕獲装置の動作を説明するための説明図である。
【図６】図１の動物捕獲装置の動作を説明するための説明図である。
【図７】図１のＡ部拡大図である。
【図８】図１のＢ部拡大図である。
【考案を実施するための形態】
【００１０】
以下、図面を参照して、本考案の実施の形態について詳しく説明する。図１は、本考案の実施形態に係る動物捕獲装置１の例を示す斜視図（概略図）である。また、図２は、図１の動物捕獲装置１の枠体、踏板、ガイド体の構成を主として示す斜視図（概略図）である。また、図３は、図２に示す構成の正面図（概略図）であり、図４は、図２に示す構成の平面図（概略図）である。また、図１の動物捕獲装置の動作を図５（ａ）、図５（ｂ）、図６（ａ）、図６（ｂ）の順に示して説明する。また、図７は、図１のＡ部拡大図であり、図８は、図１のＢ部拡大図である。なお、実施形態を説明するための全図において、同一の機能を有する部材には同一の符号を付し、その繰り返しの説明は省略する場合がある。
【００１１】
本実施形態に係る動物捕獲装置１は、例えば、猪、鹿、熊等の野生動物の肢体（手足）をワイヤ体で拘束して捕獲する装置である。
【００１２】
先ず、図１の全体図に示すように、動物捕獲装置１は、動物（肢体）の進入を検知する踏板３２とこれを下降可能に固定する枠体３０とを備えている。この踏板３２には、先端部が縮径するように付勢されたワイヤ体２０を保持すると共に踏板３２が下降された際に上方へ回動してワイヤ体２０を解放（放出）する一対のガイド体３４、３４が固定されている。
【００１３】
先ず、ワイヤ体２０およびその周辺構成について説明する。
図１、図７、図８に示すように、ワイヤ体２０は、先端部に縮径可能なリング部２４を有しており、当該リング部２４が、一対で略環状形状をなすガイド体３４、３４の外周面３４ａ、３４ａに沿って装着される部材である。さらに、一対のガイド体３４、３４の外周面３４ａ、３４ａに沿って装着されたリング部２４を縮径させる状態に付勢する付勢部材４０が設けられている。
【００１４】
一例として、リング部２４は、ワイヤ体２０の一端部を折り返して環状部２２を形成した後、かしめ部材２１を用いて先端部分をワイヤ体２０の本体部分にかしめることにより形成されている。このような環状部２２にワイヤ体２０の他端部を挿通させることでワイヤ体２０の一端部に径が可変となるリング部２４を形成することができる。
【００１５】
なお、本実施形態においては、図１に示すように２本のワイヤ材２０Ａ、２０Ｂを連結部材２３により連結することでワイヤ体２０を構成している。ただし、この構成に限定されるものではなく、ワイヤ体２０は１本のワイヤ材で構成してもよく、あるいは、３本以上のワイヤ材を連結部材により連結して構成してもよい（いずれも不図示）。いずれの構成であっても、リング部２４が形成された端部と反対側の端部には、ワイヤ体２０を樹木等に係留させるためのシャックル等からなる係留具２６が取り付けられている。
【００１６】
また、付勢部材４０は、ワイヤ体２０の長さ方向において所要範囲にわたって配設されたつるまきバネ４２と、つるまきバネ４２を両端部から圧縮するためのキャップ部材４４Ａ、４４Ｂと、キャップ部材４４Ａと４４Ｂとの間に配設された筒体４６と、付勢状態保持手段である締結部材４８とを有している。
【００１７】
つるまきバネ４２は、つるまきバネ４２の内側空間にワイヤ体２０を挿通させることでワイヤ体２０に沿って配設されている。つるまきバネ４２の長さ寸法は、ガイド体３４を所要速度で回動させるための付勢力が得られれば任意の長さ寸法を採用することができる。つるまきバネ４２の一端部位置（当該一端部とワイヤ体２０の環状部２２との間）および、つるまきバネ４２の他端部位置にはそれぞれキャップ部材４４Ａ、４４Ｂが配設されている。つまり、つるまきバネ４２は、両端部がキャップ部材４４Ａ、４４Ｂで挟まれるように収容されて、隔壁部４４Ａａ、４４Ｂａの内側に当接した状態となっている。ワイヤ体２０は隔壁部４４Ａａ、４４Ｂａに形成された挿通孔部分に挿通されており、キャップ部材４４Ａ、４４Ｂはワイヤ体２０の延長方向に沿ってスライド自在である。
【００１８】
キャップ部材４４Ａ、４４Ｂの間に配設された筒体４６は、その内部空間につるまきバネ４２を挿通させている。筒体４６はつるまきバネ４２を圧縮する際にキャップ部材４４Ｂをスライドさせると共に、つるまきバネ４２の付勢力に抗する反力を得るための保持部でもあり、図８に示すように、ネジ止めによりキャップ部材４４Ｂと一体に組み立てられている。なお、筒体４６は、本考案にかかる動物捕獲装置１の必須構成ではないため省略することも可能である。
【００１９】
また、締結部材４８は、ワイヤ体２０を挿通させる筒状の挿通体４８Ａと挿通体４８Ａの外周面に形成され、ワイヤ体２０に向かって挿通体４８Ａの外周面を板厚方向に貫通する貫通孔に装着されたネジ体４８Ｂとを有している。この締結部材４８により、つるまきバネ４２を圧縮した状態でネジ体４８Ｂを締め付ければ、ネジ体４８Ｂの先端部がワイヤ体２０の外周面に当接し、つるまきバネ４２の圧縮状態（付勢状態）を保持することができる。
【００２０】
上記の構成によれば、つるまきバネ４２によってキャップ部材４４Ａを介して環状部２２をワイヤ体２０の先端方向に向かって付勢することができ、その付勢力によってワイヤ体２０先端のリング部２４が縮径する作用等が得られる。
【００２１】
次に、枠体３０、踏板３２、およびガイド体３４の構成について説明する。
踏板３２は、枠体３０に対して下降可能に固定されており、動物が肢体で踏むことによってその進入を検知する部材である。本実施形態において、図１〜図４に示すように、枠体３０は、開口部３０ａを有する筒状の形状を備えている。一方、踏板３２は、枠体３０の開口部３０ａ内における所定の上部位置（一例として、踏板３２の上面と枠体３０の周壁部３０ｂの上端部とが同一高さとなる位置）に、下降移動が可能なように固定されている。固定方法の例として、本実施形態においては、枠体３０の周壁部３０ｂに複数個所（一例として、３箇所）の貫通孔３０ｃを設け、当該貫通孔３０ｃに細い棒状木材３７（一例として、つまようじを用いることができる）を進入させ、当該周壁部３０ｂを挿通して開口部３０ａ内に進出した棒状木材３７の上に踏板３２を載置している。これによれば、装置を設置する際には、踏板３２を枠体３０の開口部３０ａ内の上部位置に固定することができ、且つ、動物が進入して踏板３２を踏んだ際には、踏板３２に加えられた荷重（体重）によって棒状木材３７が切断されて踏板３２が枠体３０の開口部３０ａ内を下降する動作を生じさせることができる。この下降動作が、後述の捕獲動作を開始させる契機となる。
【００２２】
ここで、踏板３２に設けられる一対のガイド体３４、３４について説明する。本実施形態に係るガイド体３４は、それぞれが板状もしくは棒状部材が湾曲もしくは折曲されて環状の一部をなす形状を有すると共に、それぞれの両端部３４ｃが回動支点Ｃとなるように踏板３２に設けられた支持部材３３に固定されて踏板３２の周縁位置から踏板３２の中央部上方位置へ起立する方向に回動可能となっている。さらに、一対のガイド体３４、３４は、装置設置時（回動前）の状態において、それぞれが対向して環状形状をなすように配設されている。
【００２３】
本実施形態に係るガイド体３４は、両端部３４ｃと当該両端部３４ｃから最も離れた頂部３４ｄとの間の所定の当接位置Ｄにおいて枠体３０の周壁部３０ｂの上端部と当接するように配設されている。
【００２４】
これによれば、先端のリング部２４を縮径状態としたワイヤ体２０を、対向配置で平面視が環状形状をなす一対のガイド体３４、３４の外周面３４ａ、３４ａに沿って装着することができる。さらに、動物が進入して踏板３２を下降させたときに、回動支点Ｃが下降し、当接位置Ｄを支持点として頂部３４ｄが上方に起立するようにして一対のガイド体３４、３４がそれぞれ回動する作用が生じる。これを契機として、一対のガイド体３４、３４に保持されたワイヤ体２０が上昇しつつ、回動途中で解放（放出）され、縮径するリング部２４によって進入した動物の肢体を拘束することができる。
【００２５】
ここで、枠体３０は、平面視で円形（略円形を含む）に形成されている。また、ガイド体３４、３４は、一対で対向配置された環状形状が平面視で長円形もしくは楕円形（これらに類する形状を含む）に形成されている。さらに、図４に示すように平面視において、各ガイド体３４の頂部３４ｄの位置で内周面３４ｂを枠体３０（周壁部３０ｂ）の外周面に対して所定距離Ｙ離隔させて配設されている。
【００２６】
これらの構成によれば、上記の所定の当接位置Ｄを、ガイド体３４の両端部３４ｃと頂部３４ｄとの中間位置よりも両端部３４ｃに近い位置に設定することが可能となる。したがって、当接位置Ｄを頂部３４ｄに近い位置に設定した場合の構成と比較して、回動支点Ｃと当接位置Ｄとの距離を小さくすることができる。そのため、踏板３２の下降量が小さい場合であっても、ガイド体３４の回動量を大きくすることができる。すなわち、動物の進入により踏板３２が僅かに下降しただけでも即座に検知することができ、且つ、ガイド体３４（ひいてはワイヤ体２０）を大きく跳ね上げることができるため、確実な捕獲を行うことが可能となる。
【００２７】
また、所定距離Ｙだけ離隔させて配設される構成によって、上記の所定の当接位置Ｄを、ガイド体３４の両端部３４ｃと頂部３４ｄとの中間位置よりも両端部３４ｃに近い位置に設定する構成が実現できると共に、ガイド体３４の回動時に頂部３４ｄの到達高さをより高い位置に設定する構成が実現できる。なお、一例として、所定距離Ｙは、Ｙ＝５ｍｍ〜２０ｍｍであることが好適である。さらに好適には、Ｙ＝１０ｍｍ程度に設定される。
【００２８】
また、本実施形態に係るガイド体３４は、径方向内側に向かって湾曲する（窪む）凹状部３５が外周面３４ａの周方向に沿って設けられている。これによれば、縮径状態に保持されるリング部２４がずれないようにガイド体３４の外周面３４ａに保持させることができる。
【００２９】
さらに、本実施形態に係るガイド体３４は、頂部３４ｄの外周面３４ａの上部位置において径方向に突出する突状体３６が設けられている。これによれば、リング部２４に作用させた付勢部材４０による付勢力によってリング部２４が縮径しようとする際に、ガイド体３４が回動開始直後にリング部２４がガイド体３４から外れてしまうことの防止が可能となる。すなわち、ガイド体３４が上方まで（例えば、踏板３２の上面３２ａに対するガイド体３４の正面視の起立角度が４５°以上となるまで）、リング部２４が突状体３６に係止された状態を保持しながらガイド体３４を回動させることが可能となる。さらに突状体３６が一対のガイド体３４、３４の両方に設けられていることによって、一対のガイド体３４、３４を均等に（同じ起立角度で）回動させることが可能となる。したがって、ガイド体３４（ひいてはワイヤ体２０）を大きく跳ね上げることができ、より一層、肢体の上部（胴体に近い側）でリング部２４による拘束を行うことができるため、爪置きを減少させて、より確実な捕獲を行うことが可能となる。
【００３０】
なお、装置を設置する際にガイド体３４にワイヤ体２０を装着する場面等においてガイド体３４が意図せずに回動してしまうことを防止するために、支持部材３３に着脱可能に取り付けてガイド体３４の回動を規制するストッパ３８が設けられている。
【００３１】
また、本実施形態に特徴的な構成として、装置を設置する際にガイド体３４が枠体３０（周壁部３０ｂ）に当接した状態において、両端部３４ｃから頂部３４ｄに向かって下方に傾斜する配置となるように、回動支点Ｃとなる位置における両端部３４ｃの下面（下辺）を踏板３２の上面に対して所定距離Ｘ離隔させて、ガイド体３４が踏板３２（支持部材３３）に固定されている。
【００３２】
これによれば、上記の当接状態でガイド体３４が水平に配置される構成と比較して、リング部２４の縮径力（すなわち付勢部材４０による付勢力）をより高めることが可能となる。その理由として、仮に水平配置とする場合は、雪や木の落下等の小さな衝撃が踏板３２に加えられただけでリング部２４に加えられた付勢力によってガイド体３４が回動してしまう誤動作の恐れがあった。しかし、上記のように傾斜配置とすることで、ガイド体３４を下方に向けて（起立方向と逆向きに）押し付ける力成分を生じさせることができるため、誤動作の解消を図ることができ、且つ、リング部２４の縮径力（付勢部材４０による付勢力）を高めることができるため、より確実な捕獲を行うことが可能となる。なお、一例として、所定距離Ｘは、Ｘ＝２ｍｍ〜５ｍｍであることが好適である。さらに好適には、Ｘ＝３ｍｍ程度に設定される。
【００３３】
また、本実施形態に特徴的な構成として、枠体３０に対して、踏板３２を下降可能に締結する締結体３９を備えている。より具体的には、締結体３９は、金属ワイヤ、樹脂紐等の線状部材を用いて、枠体３０の周壁部３０ｂの下部位置に設けられた貫通孔３０ｄおよび踏板３２の周縁部に設けられた貫通孔３２ｂに挿通されたリング状に形成されている。
【００３４】
従来の装置においては、装置の構成部材（枠体あるいは踏板）が動作時の衝撃で飛散・紛失してしまう課題があったが、枠体３０を係留具３１（ロープ等）で樹木に係留したうえで、締結体３９を用いた締結構成を備えることによって、構成部材（枠体３０、踏板３２）の飛散・紛失を防止することが可能となる。
【００３５】
また、図４等に示すように、リング状の締結体３９を、一対のガイド体３４、３４の頂部３４ｄ、３４ｃの位置に対応させて２箇所設ける構成としていることによって、踏板３２が下降する際の移動ガイドとして作用させることができ、スムーズでぶれの無い確実な踏板３２の下降を可能としている。
【００３６】
続いて、上記構成を備える動物捕獲装置１により動物を捕獲する捕獲動作について、図５、図６を用いて説明する。
【００３７】
先ず、動物捕獲装置１の設置方法について説明する（図５（ａ）参照）。
捕獲対象とする動物の通り道等の場所に、枠体３０を設置する。このとき、枠体３０には締結体３９を用いて踏板３２が可動に締結された状態で、また、踏板３２に固定されたガイド体３４にはワイヤ体２０（リング部２４）が仮に装着された状態（印加される付勢力を弱くしている状態）とする。なお、係留具３１を用いて枠体３０を樹木等（不図示）に係留しておくことで、枠体３０や踏板３２の紛失を防止することができる。
【００３８】
次に、付勢部材４０により、ガイド体３４の外周面３４ａに装着したワイヤ体２０のリング部２４を縮径させる動作、およびガイド体３４が踏板３２の周縁部から中央上方へ回動させる動作を発生させるための付勢力を付与する。具体的にはキャップ部材４４Ｂと筒体４６を枠体３０側にスライドさせて、つるまきバネ４２をキャップ部材４４Ａの隔壁部４４Ａａの内側に当接させ、且つ、当該キャップ部材４４Ａをリング部２４（環状部２２）に当接させる。さらにキャップ部材４４Ｂと筒体４６を枠体３０側にスライドさせて、キャップ部材４４Ａと４４Ｂとの間でつるまきバネ４２を挟み込んで圧縮することにより付勢力を発生させることができる。つるまきバネ４２を必要程度に圧縮した状態で、操作者がネジ体４８Ｂを締め付けてネジ体４８Ｂの先端部をワイヤ体２０の外表面に押圧させ、挿通体４８Ａと共にワイヤ体２０を挟持することでつるまきバネ４２の圧縮状態（付勢状態）を保持させることができる。これによって、リング部２４を縮径させる作用、およびガイド体３４を起立方向に回動させる作用を生じさせるための付勢力が付与された状態に維持される。
【００３９】
この状態で、ワイヤ体２０の他端部に取り付けられた係留具２６を用いて、ワイヤ体２０の他端部を樹木等（不図示）に係留する。なお、動物に警戒されないように、枠体３０、踏板３２、ワイヤ体２０、付勢部材４０等を落ち葉等により被覆して隠しておくとよい（不図示）。以上の手順で、動物捕獲装置１の設置が完了する。
【００４０】
次に、進入した動物を動物捕獲装置１によって捕獲する際の動作について説明する（図５（ｂ）、図６（ａ）、図６（ｂ）参照）。
捕獲対象の動物（一例として、猪）が動物捕獲装置１の設置位置を通過する際、当該動物の肢体１００が枠体３０の開口部３０ａ内に進入して枠体３０内に配設された踏板３２を踏みつけると、その荷重（体重）により踏板３２を枠体３０内に固定している棒状木材３７が切断されて、踏板３２は枠体３０の開口部３０ａ内を下降する。これにより、ガイド体３４は、回動支点Ｃとなる両端部３４ｃが下降するため、枠体３０との当接位置Ｄを支持点として頂部３４ｄが上昇する動作を生じる。したがって、ガイド体３４は、正面視において、両端部３４ｃから頂部３４ｄに向かって下方に傾斜する状態から、水平の状態を経て、上方に傾斜する状態へ移行する。この移行動作によって、リング部２４を縮径するように付勢している付勢力が、当該リング部２４を縮径させると共に、ガイド体３４を上方へ起立させる方向に回動させる作用を生じる。
【００４１】
その後、リング部２４が縮径しながら、ガイド体３４が回動すると共にワイヤ体２０が上昇する。このとき、ガイド体３４の外周面３４ａに突状体３６を有する構成により、リング部２４が縮径しようとする際に、ガイド体３４が回動開始直後にリング部２４がガイド体３４から外れてしまうことが防止できるため、ガイド体３４が上方まで（例えば、踏板３２の上面３２ａに対するガイド体３４の正面視の起立角度が４５°以上となるまで）、リング部２４が突状体３６に係止された状態を保持しながらガイド体３４を回動させることが可能となる。その位置で、リング部２４がガイド体３４から放出されるため、リング部２４を肢体の上部（胴体に近い側）位置まで到達させて、高い位置で肢体を拘束することが可能となる。
【００４２】
このような手順によって、動物の捕獲を行うことができる。ちなみに、猪、鹿、熊等の動物は、肢体の先端部分が胴体側よりも太い（幅広）のため、リング部２４で拘束された状態から逃げ出すことはできない。
【００４３】
以上説明した通り、開示の動物捕獲装置によれば、従来の装置において生じていた爪置きの発生、木や雪による誤動作の発生、構成部材の飛散・紛失、等の複数の課題を同時に解決することが可能となる。
【００４４】
なお、本考案は、以上説明した実施形態に限定されることなく、本考案を逸脱しない範囲において種々変更可能であることは言うまでもない。
【符号の説明】
【００４５】
１  動物捕獲装置
２０  ワイヤ体
２２  環状部
２４  リング部
２６  係留具
３０ａ  開口部
３０ｂ  周壁部
３０ｃ、３０ｄ  貫通孔
３０  枠体
３１  係留具
３２  踏板
３２ｂ  貫通孔
３３  支持部材
３４  ガイド体
３４ａ  外周面
３４ｂ  内周面
３４ｃ  両端部
３４ｄ  頂部
３５  凹状部
３６  突状体
３８  ストッパ
３９  締結体
４０  付勢部材
４２  つるまきバネ
４４Ａ、４４Ｂ  キャップ部材
４６  筒体
４８  締結部材
１００  動物の肢体
【図１】
0003207491.tif 000003
【図２】
0003207491.tif 000004
【図３】
0003207491.tif 000005
【図４】
0003207491.tif 000006
【図５】
0003207491.tif 000007
【図６】
0003207491.tif 000008
【図７】
0003207491.tif 000009
【図８】
0003207491.tif 000010